(57)【特許請求の範囲】
【請求項１】
アレーアンテナにより受信された各拡散信号から干渉レプリカを生成し、上記各拡散信号から当該干渉レプリカを除去する干渉除去手段と、上記干渉除去手段により干渉レプリカが除去された各拡散信号を逆拡散して重み付け値を乗算し、その乗算結果を合成して復号する復調手段とを備えた干渉キャンセラ装置において、上記干渉除去手段が干渉レプリカを生成する際、上記アレーアンテナにより受信された各拡散信号に係る重み付け値を演算して上記復調手段に出力することを特徴とする干渉キャンセラ装置。
【請求項２】
干渉除去手段は、アレーアンテナにより受信された各拡散信号に係る重み付け値を演算する際、既知シンボルの拡散結果と干渉レプリカを除去した各拡散信号とを入力することを特徴とする請求項１記載の干渉キャンセラ装置。
【請求項３】
干渉除去手段により演算された各拡散信号に係る重み付け値を周波数補正して送信信号に乗算する乗算手段を設けたことを特徴とする請求項１または請求項２記載の干渉キャンセラ装置。
【請求項４】
アレーアンテナにより受信された各拡散信号から干渉レプリカを生成し、上記各拡散信号から当該干渉レプリカを除去する第１の干渉除去手段と、上記第１の干渉除去手段により干渉レプリカが除去された各拡散信号から干渉レプリカを生成し、上記各拡散信号から当該干渉レプリカを除去する第２の干渉除去手段と、上記第２の干渉除去手段により干渉レプリカが除去された各拡散信号を逆拡散して復号する復調手段とを備えた干渉キャンセラ装置において、上記復調手段が各拡散信号を逆拡散して重み付け値を乗算し、その乗算結果を合成して復号する場合には、上記第１の干渉除去手段が干渉レプリカを生成する際、上記アレーアンテナにより受信された各拡散信号に係る重み付け値を演算して上記復調手段に出力することを特徴とする干渉キャンセラ装置。
【請求項５】
アレーアンテナにより受信された各拡散信号から干渉レプリカを生成し、上記各拡散信号から当該干渉レプリカを除去する第１の干渉除去手段と、上記第１の干渉除去手段により干渉レプリカが除去された各拡散信号から干渉レプリカを生成し、上記各拡散信号から当該干渉レプリカを除去する第２の干渉除去手段と、上記第２の干渉除去手段により干渉レプリカが除去された各拡散信号を逆拡散して復号する復調手段とを備えた干渉キャンセラ装置において、上記第２の干渉除去手段が各拡散信号を逆拡散して重み付け値を乗算することにより干渉レプリカを生成する場合には、上記第１の干渉除去手段が干渉レプリカを生成する際、上記アレーアンテナにより受信された各拡散信号に係る重み付け値を演算して上記第２の干渉除去手段に出力することを特徴とする干渉キャンセラ装置。
【請求項６】
復調手段が各拡散信号を逆拡散して重み付け値を乗算し、その乗算結果を合成して復号する場合には、第１の干渉除去手段が各拡散信号に係る重み付け値を復調手段に出力することを特徴とする請求項５記載の干渉キャンセラ装置。
【請求項７】
第１の干渉除去手段は、アレーアンテナにより受信された各拡散信号に係る重み付け値を演算する際、既知シンボルの拡散結果と干渉レプリカを除去した各拡散信号とを入力することを特徴とする請求項４から請求項６のうちのいずれか１項記載の干渉キャンセラ装置。
【請求項８】
第１の干渉除去手段、第２の干渉除去手段及び復調手段におけるＳＩＲ測定値を比較する比較手段を設け、上記第１の干渉除去手段、第２の干渉除去手段及び復調手段は、上記比較手段の比較結果が自己のＳＩＲ測定値が最高値である旨を示す場合に限り、その比較手段が出力する軟判定値を選択して復号することを特徴とする請求項４から請求項７のうちのいずれか１項記載の干渉キャンセラ装置。
【請求項９】
復調手段は、第１の干渉除去手段、第２の干渉除去手段及び復調手段のうち、軟判定値が選択された手段においてのみ、重み付け値の乗算処理を実施することを特徴とする請求項８記載の干渉キャンセラ装置。
【請求項１０】
第１の干渉除去手段により演算された各拡散信号に係る重み付け値を周波数補正して送信信号に乗算する乗算手段を設けたことを特徴とする請求項４から請求項９のうちのいずれか１項記載の干渉キャンセラ装置。
【請求項１１】
第２の干渉除去手段を複数段直列に接続したことを特徴とする請求項４から請求項１０のうちのいずれか１項記載の干渉キャンセラ装置。
【発明の詳細な説明】
【０００１】
【発明の属する技術分野】
この発明は、例えば、ＣＤＭＡ（Ｃｏｄｅ  Ｄｉｖｉｓｉｏｎ  Ｍｕｌｔｉｐｌｅ  Ａｃｃｅｓｓ：符号分割多元接続）方式の通信システムに用いられる干渉キャンセラ装置に関するものである。
【０００２】
【従来の技術】
移動体通信で用いられるＣＤＭＡ方式には、マルチパスによる干渉やマルチユーザによる符号間干渉があり、同一エリア内での通信可能なユーザ数に制限が生じる。
この様な干渉を低減する要素技術として干渉キャンセラがある。これは受信拡散信号のうち、所望のユーザ以外の信号を除去し、干渉を擬似的に取り除いた上で所望のユーザの信号を復調するという技術である。従来の干渉キャンセラは「シンボルレプリカ処理を活用した逐次伝送路推定型ＣＤＭＡマルチステージ干渉キャンセラ」（ＲＣＳ９６−１７１、１９９７年２月）などに記載されている。
【０００３】
干渉低減のためのもう一つの要素技術として、アダプティブアレーアンテナというものがある。これは適応信号処理アルゴリズムを用いてアンテナビームの指向性パターンを制御し、所望のユーザの信号と他のユーザの信号とを空間的に分離して、干渉をアンテナ数による制限の範囲内で取り除いた上で所望のユーザの信号を復調するというものである。アダプティブアレーアンテナの原理は「アレーアンテナによる適応信号処理」（菊間信良著、科学技術出版）などに記載されている。
【０００４】
また、干渉キャンセラとアレーアンテナとを組み合わせた受信機がある。これは、干渉キャンセラの各ステージのレプリカ生成部や、最終ステージの復調部にウェイトを乗算する機能を組み込んだ回路を備えるものであり、各ステージのレプリカ生成の精度が上がる効果が得られる。また、参照信号には、既知シンボルだけでは所望するビームの指向性パターンの形成が遅いので、ＲＡＫＥ合成後の硬判定値をウェイト演算部に入力する手法も存在する。
【０００５】
図１９は例えば特開平１１−２７５０６４号公報に示された従来の干渉キャンセラ装置を示す構成図であり、図において、１−１〜１−Ｋはアレーアンテナを構成するアンテナ素子、２−１〜２−Ｋはアンテナ素子１−１〜１−Ｋにより受信された拡散信号を所定時間だけ保持してから出力する遅延器、３−１〜３−Ｎは各ユーザの受信拡散信号のチップレプリカとシンボルレプリカを生成する干渉レプリカ生成部、４−１〜４−Ｋは遅延器２−１〜２−Ｋから出力された拡散信号から、干渉レプリカ生成部３−１〜３−Ｎにより生成されたチップレプリカをそれぞれ引き去る減算回路である。
【０００６】
５−１〜５−Ｋは減算回路４−１〜４−Ｋによる減算後の信号である残差信号を所定時間だけ保持してから出力する遅延器、６−１〜６−Ｎは各ユーザの残差信号のチップレプリカとシンボルレプリカを生成する干渉レプリカ生成部、７−１〜７−Ｋは遅延器５−１〜５−Ｋから出力された残差信号から、干渉レプリカ生成部６−１〜６−Ｎにより生成されたチップレプリカをそれぞれ引き去る減算回路、８−１〜８−Ｎは減算回路７−１〜７−Ｋによる減算後の信号である残差信号を逆拡散して重み付け値を乗算し、その乗算結果を合成して復号するアレーアンテナ復調部である。
【０００７】
図２０は干渉レプリカ生成部３−１〜３−Ｎ，６−１〜６−Ｎの内部を示す構成図であり、干渉レプリカ生成部３−１〜３−Ｎ，６−１〜６−Ｎは図２０からも明らかなように各パス毎に同一の構成が設けられている。
図において、１１−１〜１１−Ｋは各パスにおいて受信拡散信号又は残差信号の逆拡散を行う逆拡散回路、１２−１〜１２−Ｋは逆拡散回路１１−１〜１１−Ｋの逆拡散結果に前ステージから出力されたシンボルレプリカを加算する加算回路、１３は加算回路１２−１〜１２−Ｋの加算結果と伝送路特性推定部１６により推定された伝送路特性と硬判定部１９の硬判定値とを入力してウェイトを演算するウェイト演算部である。
【０００８】
１４−１〜１４−Ｋは加算回路１２−１〜１２−Ｋの加算結果にウェイト演算部１３により演算されたウェイトを乗算するウェイト乗算回路、１５はウェイト乗算回路１４−１〜１４−Ｋの乗算結果をビーム合成するビーム合成部、１６はビーム合成部１５による合成後のシンボルからシンボルの伝送路特性を推定する伝送路特性推定部、１７は伝送路特性推定部１６により推定された伝送路特性の複素共役をビーム合成部１５による合成後のシンボルに乗算して、シンボルの伝送路特性を補償する乗算器である。
【０００９】
１８は乗算器１７により伝送路特性が補償された各パスのシンボルをＲＡＫＥ合成して軟判定値を出力するＲＡＫＥ合成部、１９はＲＡＫＥ合成部１８から出力された軟判定値を硬判定する硬判定部、２０は硬判定部１９から出力された硬判定値に伝送路特性推定部１６により推定された伝送路特性を乗算する乗算回路、２１−１〜２１−Ｋは乗算器２０の乗算結果にウェイト演算部１３により演算されたウェイトの複素共役を乗算して各素子のシンボルレプリカを生成するウェイト乗算回路である。
【００１０】
２２−１〜２２−Ｋはウェイト乗算回路２１−１〜２１−Ｋにより生成されたシンボルレプリカから前ステージにおいて生成されたシンボルレプリカを減算する減算回路、２３−１〜２３−Ｋは減算回路２２−１〜２２−Ｋの減算結果を逆拡散回路１１−１〜１１−Ｋと同じ拡散コードで拡散する再拡散回路、２４−１〜２４−Ｋは再拡散回路２３−１〜２３−Ｋから出力された各パスの拡散信号を加算して、各素子のチップレプリカを生成する加算回路である。
【００１１】
なお、第１ステージの干渉レプリカ生成部３−１〜３−Ｎでは、前ステージからのシンボルレプリカの入力が存在しない。従って、加算回路１２−１〜１２−Ｋはなくてもよい。また、最終ステージのアレーアンテナ復調部８−１〜８−Ｎは、図２０において、乗算器２０と、ウェイト乗算回路２１−１〜２１−Ｋと、減算回路２２−１〜２２−Ｋと、再拡散回路２３−１〜２３−Ｋと、加算回路２４−１〜２４−Ｋとを取り除いたものに相当する。
【００１２】
次に動作について説明する。
まず、アンテナ素子１−１〜１−Ｋにより受信された拡散信号は、第１ステージの遅延器２−１〜２−Ｋに入力されるとともに、第１ステージの干渉レプリカ生成部３−１〜３−Ｎに入力される。
第１ステージの干渉レプリカ生成部３−１〜３−Ｎは、アンテナ素子１−１〜１−Ｋにより受信された拡散信号を入力すると、各ユーザの受信拡散信号のチップレプリカとシンボルレプリカを生成する。
具体的には次の通りである。
【００１３】
まず、干渉レプリカ生成部３−１〜３−Ｎの逆拡散回路１１−１〜１１−Ｋは、アンテナ素子１−１〜１−Ｋにより受信された拡散信号を入力すると、各パスの受信拡散信号の逆拡散を実施し、その逆拡散結果を加算回路１２−１〜１２−Ｋに出力する。
干渉レプリカ生成部３−１〜３−Ｎの加算回路１２−１〜１２−Ｋは、逆拡散回路１１−１〜１１−Ｋによる逆拡散後のシンボルと前ステージにおいて生成されたシンボルレプリカを加算する。ただし、第１ステージでは、前ステージからシンボルレプリカを受けないので、実際には、逆拡散回路１１−１〜１１−Ｋによる逆拡散後のシンボルをそのままウェイト乗算回路１４−１〜１４−Ｋに出力する。
【００１４】
干渉レプリカ生成部３−１〜３−Ｎのウェイト乗算回路１４−１〜１４−Ｋは、加算回路１２−１〜１２−Ｋから逆拡散後のシンボルを受けると、逆拡散後のシンボルにウェイト演算部１３により演算されたウェイトｗ１−ｎ−１〜ｗＫ−ｎ−１を乗算する。
ここで、ウェイト演算部１３は、加算回路１２−１〜１２−Ｋから出力された逆拡散後のシンボルと、伝送路特性推定部１６により推定された伝送路特性と、硬判定部１９の硬判定値とに基づいてウェイトｗ１−ｎ−１〜ｗＫ−ｎ−１を演算する。
【００１５】
干渉レプリカ生成部３−１〜３−Ｎのビーム合成部１５は、ウェイト乗算回路１４−１〜１４−Ｋから乗算結果を受けると、その乗算結果をビーム合成する。
干渉レプリカ生成部３−１〜３−Ｎの伝送路特性推定部１６は、ビーム合成部１５から合成後のシンボルを受けると、合成後のシンボルからシンボルの伝送路特性を推定する。
そして、干渉レプリカ生成部３−１〜３−Ｎの乗算器１７は、伝送路特性推定部１６により推定された伝送路特性の複素共役をビーム合成部１５による合成後のシンボルに乗算して、シンボルの伝送路特性を補償する。
【００１６】
干渉レプリカ生成部３−１〜３−ＮのＲＡＫＥ合成部１８は、乗算器１７により伝送路特性が補償された各パスのシンボルを入力すると、各パスのシンボルをＲＡＫＥ合成して軟判定値を出力する。
干渉レプリカ生成部３−１〜３−Ｎの硬判定部１９は、ＲＡＫＥ合成部１８から軟判定値を受けると、その軟判定値に対する硬判定を実施する。
【００１７】
干渉レプリカ生成部３−１〜３−Ｎの乗算器２０は、硬判定部１９の硬判定値を受けると、その硬判定値に伝送路特性推定部１６により推定された伝送路特性を乗算する。
そして、干渉レプリカ生成部３−１〜３−Ｎのウェイト乗算回路２１−１〜２１−Ｋは、乗算器２０の乗算結果にウェイト演算部１３により演算されたウェイトｗ１−ｎ−１〜ｗＫ−ｎ−１の複素共役を乗算して第１ステージのシンボルレプリカｓ−ｚ−ｎ−１−１〜ｓ−ｚ−ｎ−Ｋ−１を生成する。なお、第１ステージのシンボルレプリカは第２ステージに出力される。
【００１８】
干渉レプリカ生成部３−１〜３−Ｎの減算回路２２−１〜２２−Ｋは、ウェイト乗算回路２１−１〜２１−Ｋがシンボルレプリカｓ−ｚ−ｎ−１−１〜ｓ−ｚ−ｎ−Ｋ−１を生成すると、そのシンボルレプリカｓ−ｚ−ｎ−１−１〜ｓ−ｚ−ｎ−Ｋ−１から前ステージにおいて生成されたシンボルレプリカｓ−（ｚ−１）−ｎ−１−１〜ｓ−（ｚ−１）−ｎ−Ｋ−１を減算する。ただし、第１ステージにおいては、前ステージからシンボルレプリカを受けないので、実際には、乗算回路２１−１〜２１−Ｋにより生成されたシンボルレプリカをそのまま再拡散回路２３−１〜２３−Ｋに出力する。
【００１９】
干渉レプリカ生成部３−１〜３−Ｎの再拡散回路２３−１〜２３−Ｋは、減算回路２２−１〜２２−Ｋから減算結果を受けると、その減算結果を逆拡散回路１１−１〜１１−Ｋと同じ拡散コードで拡散する。
そして、干渉レプリカ生成部３−１〜３−Ｎの加算回路２４−１〜２４−Ｋは、再拡散回路２３−１〜２３−Ｋから各パスの拡散信号を受けると、各パスの拡散信号を加算して、各素子のチップレプリカｃ−ｚ−ｎ−１〜ｃ−ｚ−ｎ−Ｋを生成する。
【００２０】
減算回路４−１〜４−Ｋは、上記のようにして干渉レプリカ生成部３−１〜３−Ｎがチップレプリカｃ−１−１〜ｃ−１−Ｎ（例えば、ｃ−１−Ｎはｃ−ｚ−Ｎ−１〜ｃ−ｚ−Ｎ−Ｋに相当する）を生成すると、遅延器２−１〜２−Ｋに保持されている受信拡散信号を取り出し、その受信拡散信号から、そのチップレプリカｃ−１−１〜ｃ−１−Ｎをそれぞれ引き去る処理を行う。
【００２１】
減算回路４−１〜４−Ｋによる減算後の信号である残差信号は、第２ステージの遅延器５−１〜５−Ｋに入力されるとともに、第２ステージの干渉レプリカ生成部６−１〜６−Ｎに入力される。
第２ステージの干渉レプリカ生成部６−１〜６−Ｎは、減算回路４−１〜４−Ｋから残差信号を入力すると、各ユーザの残差信号のチップレプリカとシンボルレプリカを生成する。
【００２２】
第２ステージの干渉レプリカ生成部６−１〜６−Ｎの動作は、基本的には第１ステージの干渉レプリカ生成部３−１〜３−Ｎの動作と同様であるため詳細な説明を省略するが、第２ステージにおいては、第１ステージにおいて生成されたシンボルレプリカを受けるので、干渉レプリカ生成部６−１〜６−Ｎの加算回路１２−１〜１２−Ｋでは、逆拡散回路１１−１〜１１−Ｋによる逆拡散後のシンボルと第１ステージにおいて生成されたシンボルレプリカを加算する。
また、干渉レプリカ生成部６−１〜６−Ｎの減算回路２２−１〜２２−Ｋでは、乗算回路２１−１〜２１−Ｋにより生成されたシンボルレプリカから第１ステージにおいて生成されたシンボルレプリカを減算する。
【００２３】
このように、逆拡散回路１１−１〜１１−Ｋによる逆拡散後のシンボルと第１ステージにおいて生成されたシンボルレプリカを加算することは、他ユーザの受信拡散信号（干渉信号）を取り除いた状態で、所望のユーザの拡散信号を逆拡散することと等しくなるので、精度の高いシンボルとなっており、伝送路特性推定部１６における伝送路特性の推定が第１ステージより正確なものとなる。従って、硬判定部１９による硬判定値も第１ステージの硬判定結果より精度の高いものとなり、ウェイト乗算回路２１−１〜２１−Ｋにより生成される第２ステージのシンボルレプリカも第１ステージで生成されたシンボルレプリカより精度の高いものとなる。
【００２４】
減算回路７−１〜７−Ｋは、上記のようにして干渉レプリカ生成部６−１〜６−Ｎがチップレプリカｃ−２−１〜ｃ−２−Ｎを生成すると、遅延器５−１〜５−Ｋに保持されている残差信号を取り出し、その残差信号から、そのチップレプリカｃ−２−１〜ｃ−２−Ｎをそれぞれ引き去る処理を行う。
【００２５】
アレーアンテナ復調部８−１〜８−Ｎは、減算回路７−１〜７−Ｋによる減算後の信号である残差信号を逆拡散して重み付け値を乗算し、その乗算結果を合成して復号する。
アレーアンテナ復調部８−１〜８−Ｎは、干渉レプリカ生成部６−１〜６−Ｎの構成から、乗算器２０と、ウェイト乗算回路２１−１〜２１−Ｋと、減算回路２２−１〜２２−Ｋと、再拡散回路２３−１〜２３−Ｋと、加算回路２４−１〜２４−Ｋとを取り除いたものに相当するため、具体的な動作説明は省略する。
【００２６】
【発明が解決しようとする課題】
従来の干渉キャンセラ装置は以上のように構成されているので、全てのステージ（＝干渉除去手段及び最終段の復調手段）においてウェイト演算部１３がウェイト演算を実施して、ウェイト乗算回路１４−１〜１４−Ｋ，２１−１〜２２−Ｋがウェイトの乗算処理を実施する。これにより干渉の除去精度が高められるが、全てのステージにおいてウェイト演算を実施しているため、所望するビームの指向性パターンの形成に長時間を要するなどの課題があった。
【００２７】
この発明は上記のような課題を解決するためになされたもので、所望するビームの指向性パターンを速やかに形成することができるアダプティブアレーの信号処理を組み込んだ干渉キャンセラ装置を得ることを目的とする。
【００２８】
【課題を解決するための手段】
この発明に係る干渉キャンセラ装置は、干渉除去手段が干渉レプリカを生成する際、アレーアンテナにより受信された各拡散信号に係る重み付け値を演算して復調手段に出力するようにしたものである。
【００２９】
この発明に係る干渉キャンセラ装置は、干渉除去手段がアレーアンテナにより受信された各拡散信号に係る重み付け値を演算する際、既知シンボルの拡散結果と干渉レプリカを除去した各拡散信号とを入力するようにしたものである。
【００３０】
この発明に係る干渉キャンセラ装置は、干渉除去手段により演算された各拡散信号に係る重み付け値を周波数補正して送信信号に乗算するようにしたものである。
【００３１】
この発明に係る干渉キャンセラ装置は、第１の干渉除去手段が干渉レプリカを生成する際、アレーアンテナにより受信された各拡散信号に係る重み付け値を演算して復調手段に出力するようにしたものである。
【００３２】
この発明に係る干渉キャンセラ装置は、第１の干渉除去手段が干渉レプリカを生成する際、アレーアンテナにより受信された各拡散信号に係る重み付け値を演算して第２の干渉除去手段に出力するようにしたものである。
【００３３】
この発明に係る干渉キャンセラ装置は、第１の干渉除去手段が各拡散信号に係る重み付け値を第２の干渉除去手段及び復調手段に出力するようにしたものである。
【００３４】
この発明に係る干渉キャンセラ装置は、第１の干渉除去手段がアレーアンテナにより受信された各拡散信号に係る重み付け値を演算する際、既知シンボルの拡散結果と干渉レプリカを除去した各拡散信号とを入力するようにしたものである。
【００３５】
この発明に係る干渉キャンセラ装置は、比較手段の比較結果が自己のＳＩＲ測定値が最高値である旨を示す場合に限り、その比較手段が出力する軟判定値を選択して復号するようにしたものである。
【００３６】
この発明に係る干渉キャンセラ装置は、復調手段が、第１の干渉除去手段、第２の干渉除去手段及び復調手段のうち、軟判定値が選択された手段においてのみ、重み付け値の乗算処理を実施するようにしたものである。
【００３７】
この発明に係る干渉キャンセラ装置は、第１の干渉除去手段により演算された各拡散信号に係る重み付け値を周波数補正して送信信号に乗算するようにしたものである。
【００３８】
この発明に係る干渉キャンセラ装置は、第２の干渉除去手段を複数段直列に接続したものである。
【００３９】
【発明の実施の形態】
以下、この発明の実施の一形態を説明する。
実施の形態１．
図１はこの発明の実施の形態１による干渉キャンセラ装置を示す構成図であり、図において、５１−１〜５１−Ｋはアレーアンテナを構成するアンテナ素子、５２−１〜５２−Ｋはアンテナ素子５１−１〜５１−Ｋにより受信された拡散信号を所定時間だけ保持してから出力する遅延器、５３−１〜５３−Ｎは各ユーザの受信拡散信号のチップレプリカやシンボルレプリカ等を生成する干渉レプリカ生成部、５４−１〜５４−Ｋは遅延器５２−１〜５２−Ｋから出力された拡散信号から、干渉レプリカ生成部５３−１〜５３−Ｎにより生成されたチップレプリカをそれぞれ引き去る減算回路である。なお、遅延器５２−１〜５２−Ｋ、干渉レプリカ生成部５３−１〜５３−Ｎ及び減算回路５４−１〜５４−Ｋから第１の干渉除去手段（第１ステージ）が構成されている。
【００４０】
５５−１〜５５−Ｋは減算回路５４−１〜５４−Ｋによる減算後の信号である残差信号を所定時間だけ保持してから出力する遅延器、５６−１〜５６−Ｎは各ユーザの残差信号のチップレプリカやシンボルレプリカ等を生成する干渉レプリカ生成部、５７−１〜５７−Ｋは遅延器５５−１〜５５−Ｋから出力された残差信号から、干渉レプリカ生成部５６−１〜５６−Ｎにより生成されたチップレプリカをそれぞれ引き去る減算回路である。なお、遅延器５５−１〜５５−Ｋ、干渉レプリカ生成部５６−１〜５６−Ｎ及び減算回路５７−１〜５７−Ｋから第２の干渉除去手段が構成されている。
５８−１〜５８−Ｎは減算回路５７−１〜５７−Ｋによる減算後の信号である残差信号を逆拡散してウェイト（重み付け値）を乗算し、その乗算結果を合成して復号するアレーアンテナ復調部（最終段の復調手段＝最終ステージ）である。
【００４１】
図２は干渉レプリカ生成部５３−１〜５３−Ｎの内部を示す構成図、図３は干渉レプリカ生成部５６−１〜５６−Ｎの内部を示す構成図、図４はアレーアンテナ復調部５８−１〜５８−Ｎの内部を示す構成図である。干渉レプリカ生成部５３−１〜５３−Ｎ，５６−１〜５６−Ｎ及びアレーアンテナ復調部５８−１〜５８−Ｎは図２〜図４からも明らかなように各パス毎に同一の構成が設けられている。
【００４２】
図において、７１−１〜７１−Ｋは各パスにおいて受信拡散信号の逆拡散を行う逆拡散回路、７２は逆拡散回路７１−１〜７１−Ｋの逆拡散結果と伝送路特性推定部７５により推定された伝送路特性と加算器７９により生成された参照信号とを入力してウェイトを演算するウェイト演算部、７３−１〜７３−Ｋは逆拡散回路７１−１〜７１−Ｋの逆拡散結果にウェイト演算部７２により演算されたウェイトを乗算するウェイト乗算回路、７４はウェイト乗算回路７３−１〜７３−Ｋの乗算結果をビーム合成するビーム合成部、７５はビーム合成部７４による合成後のシンボルからシンボルの伝送路特性を推定する伝送路特性推定部、７６は伝送路特性推定部７５により推定された伝送路特性の複素共役をビーム合成部７４による合成後のシンボルに乗算して、シンボルの伝送路特性を補償する乗算器である。
【００４３】
７７は乗算器７６により伝送路特性が補償された各パスのシンボルをＲＡＫＥ合成して軟判定値を出力するＲＡＫＥ合成部、７８はＲＡＫＥ合成部７７から出力された軟判定値を硬判定する硬判定部、７９は硬判定部７８の硬判定値と既知シンボルを加算して参照信号を生成する加算器、８０は硬判定部７８の硬判定値に伝送路特性推定部７５により推定された伝送路特性を乗算する乗算器、８１−１〜８１−Ｋは乗算器８０の乗算結果にウェイト演算部７２により演算されたウェイトの複素共役を乗算して各素子のシンボルレプリカを生成するウェイト乗算回路である。
【００４４】
８２−１〜８２−Ｋはウェイト乗算回路８１−１〜８１−Ｋにより生成されたシンボルレプリカを逆拡散回路７１−１〜７１−Ｋと同じ拡散コードで拡散する再拡散回路、８３−１〜８３−Ｋは再拡散回路８２−１〜８２−Ｋから出力された各パスの拡散信号を加算して、各素子のチップレプリカを生成する加算回路である。
【００４５】
９１−１〜９１−Ｋは逆拡散回路７１−１〜７１−Ｋの逆拡散結果に前ステージから出力されたシンボルレプリカを加算する加算回路、９２−１〜９２−Ｋはウェイト乗算回路８１−１〜８１−Ｋにより生成されたシンボルレプリカから前ステージにおいて生成されたシンボルレプリカを減算する減算回路、９３−ｎはＲＡＫＥ合成部７７から出力された軟判定値を復号する復号部である。
【００４６】
次に動作について説明する。
まず、アンテナ素子５１−１〜５１−Ｋにより受信された拡散信号は、第１ステージの遅延器５２−１〜５２−Ｋに入力されるとともに、第１ステージの干渉レプリカ生成部５３−１〜５３−Ｎに入力される。
【００４７】
第１ステージの干渉レプリカ生成部５３−１〜５３−Ｎは、アンテナ素子５１−１〜５１−Ｋにより受信された拡散信号を入力すると、各ユーザの受信拡散信号のチップレプリカｃ−１−１〜ｃ−１−Ｎとシンボルレプリカｓ−１−１〜ｓ−１−ＮとウェイトＷ−１〜Ｗ−Ｎを生成する。
具体的には次の通りである。
【００４８】
まず、干渉レプリカ生成部５３−１〜５３−Ｎの逆拡散回路７１−１〜７１−Ｋは、アンテナ素子５１−１〜５１−Ｋにより受信された拡散信号を入力すると、各パスの受信拡散信号の逆拡散を実施し、その逆拡散結果をウェイト乗算回路７３−１〜７３−Ｋに出力する。
干渉レプリカ生成部５３−１〜５３−Ｎのウェイト乗算回路７３−１〜７３−Ｋは、逆拡散回路７１−１〜７１−Ｋから逆拡散後のシンボルを受けると、逆拡散後のシンボルにウェイト演算部７２により演算されたウェイトｗ１−ｎ−１〜ｗＫ−ｎ−１を乗算する。
【００４９】
ここで、ウェイト演算部７２は、逆拡散回路７１−１〜７１−Ｋの逆拡散結果と、伝送路特性推定部７５により推定された伝送路特性と、加算器７９により生成された参照信号（硬判定部７８の硬判定値又は既知シンボルのみを参照信号としてもよい）とを入力して、ウェイトｗ１−ｎ−１〜ｗＫ−ｎ−１を演算する。ウェイト演算部７２により演算されたウェイトｗ１−ｎ−１〜ｗＫ−ｎ−１は、第２ステージ及び最終ステージに出力される。
なお、ウェイトの演算方法は、例えば「アレーアンテナによる適応信号処理」（菊間信良著、科学技術出版）に示されているように、ＬＭＳやＲＬＳなどのアルゴリズムを用いて行う。
【００５０】
干渉レプリカ生成部５３−１〜５３−Ｎのビーム合成部７４は、ウェイト乗算回路７３−１〜７３−Ｋから乗算結果を受けると、その乗算結果をビーム合成する。
干渉レプリカ生成部５３−１〜５３−Ｎの伝送路特性推定部７５は、ビーム合成部７４から合成後のシンボルを受けると、合成後のシンボルからシンボルの伝送路特性を推定する。
そして、干渉レプリカ生成部５３−１〜５３−Ｎの乗算器７６は、伝送路特性推定部７５により推定された伝送路特性の複素共役をビーム合成部７４による合成後のシンボルに乗算して、シンボルの伝送路特性を補償する。
【００５１】
干渉レプリカ生成部５３−１〜５３−ＮのＲＡＫＥ合成部７７は、乗算器７６により伝送路特性が補償された各パスのシンボルを入力すると、各パスのシンボルをＲＡＫＥ合成して軟判定値を出力する。
干渉レプリカ生成部５３−１〜５３−Ｎの硬判定部７８は、ＲＡＫＥ合成部７７から軟判定値を受けると、その軟判定値に対する硬判定を実施する。
【００５２】
干渉レプリカ生成部５３−１〜５３−Ｎの乗算器８０は、硬判定部７８の硬判定値を受けると、その硬判定値に伝送路特性推定部７５により推定された伝送路特性を乗算する。
そして、干渉レプリカ生成部５３−１〜５３−Ｎのウェイト乗算回路８１−１〜８１−Ｋは、乗算器８０の乗算結果にウェイト演算部７２により演算されたウェイトｗ１−ｎ−１〜ｗＫ−ｎ−１の複素共役を乗算して第１ステージのシンボルレプリカｓ−ｚ−ｎ−１−１〜ｓ−ｚ−ｎ−Ｋ−１を生成する。なお、第１ステージのシンボルレプリカは第２ステージに出力される。
【００５３】
干渉レプリカ生成部５３−１〜５３−Ｎの再拡散回路８２−１〜８２−Ｋは、ウェイト乗算回路８１−１〜８１−Ｋから乗算結果を受けると、その乗算結果を逆拡散回路７１−１〜７１−Ｋと同じ拡散コードで拡散する。
そして、干渉レプリカ生成部５３−１〜５３−Ｎの加算回路８３−１〜８３−Ｋは、再拡散回路８２−１〜８２−Ｋから各パスの拡散信号を受けると、各パスの拡散信号を加算して、各素子のチップレプリカｃ−１−ｎ−１〜ｃ−１−ｎ−Ｋを生成する。
【００５４】
減算回路５４−１〜５４−Ｋは、上記のようにして干渉レプリカ生成部５３−１〜５３−Ｎがチップレプリカｃ−１−１〜ｃ−１−Ｎ（例えば、ｃ−１−Ｎはｃ−１−Ｎ−１〜ｃ−１−Ｎ−Ｋに相当する）を生成すると、遅延器５２−１〜５２−Ｋに保持されている受信拡散信号を取り出し、その受信拡散信号から、そのチップレプリカｃ−１−１〜ｃ−１−Ｎをそれぞれ引き去る処理を行う。
【００５５】
減算回路５４−１〜５４−Ｋによる減算後の信号である残差信号は、第２ステージの遅延器５５−１〜５５−Ｋに入力されるとともに、第２ステージの干渉レプリカ生成部５６−１〜５６−Ｎに入力される。
第２ステージの干渉レプリカ生成部５６−１〜５６−Ｎは、減算回路５４−１〜５４−Ｋから残差信号を入力すると、各ユーザの残差信号のチップレプリカｃ−２−１〜ｃ−２−Ｎとシンボルレプリカｓ−２−１〜ｓ−２−Ｎを生成する。
【００５６】
第２ステージの干渉レプリカ生成部５６−１〜５６−Ｎの動作は、基本的には第１ステージの干渉レプリカ生成部５３−１〜５３−Ｎの動作と同様であるが、第２ステージにおいては、逆拡散回路７１−１〜７１−Ｋの逆拡散結果に第１ステージから出力されたシンボルレプリカｓ−ｚ−ｎ−１−１〜ｓ−ｚ−ｎ−Ｋ−１を加算して、その加算結果をウェイト乗算回路７３−１〜７３−Ｋに出力する加算回路９１−１〜９１−Ｋと、ウェイト乗算回路８１−１〜８１−Ｋにより生成されたシンボルレプリカから第１ステージにおいて生成されたシンボルレプリカｓ−ｚ−ｎ−１−１〜ｓ−ｚ−ｎ−Ｋ−１を減算して、その減算結果を再拡散回路８２−１〜８２−Ｋに出力する減算回路９２−１〜９２−Ｋとが設けられている点が異なる。
また、第２ステージにおいては、ウェイト演算部７２が設けられておらず、ウェイト乗算回路７３−１〜７３−Ｋ，８１−１〜８１−Ｋは、第１ステージのウェイト演算部７２により演算されたウェイトを使用する。
【００５７】
減算回路５７−１〜５７−Ｋは、上記のようにして干渉レプリカ生成部５６−１〜５６−Ｎがチップレプリカｃ−２−１〜ｃ−２−Ｎを生成すると、遅延器５５−１〜５５−Ｋに保持されている残差信号を取り出し、その残差信号から、そのチップレプリカｃ−２−１〜ｃ−２−Ｎをそれぞれ引き去る処理を行う。
【００５８】
アレーアンテナ復調部５８−１〜５８−Ｎは、減算回路５７−１〜５７−Ｋによる減算後の信号である残差信号を逆拡散してウェイトを乗算し、その乗算結果を合成して復号する。
具体的には次の通りである。
【００５９】
アレーアンテナ復調部５８−１〜５８−Ｎの逆拡散回路７１−１〜７１−Ｋは、減算回路５７−１〜５７−Ｋから出力された残差信号の逆拡散を実施する。
アレーアンテナ復調部５８−１〜５８−Ｎの加算回路９１−１〜９１−Ｋは、逆拡散回路７１−１〜７１−Ｋの逆拡散結果に前ステージから出力されたシンボルレプリカｓ−ｚ−ｎ−１−１〜ｓ−ｚ−ｎ−Ｋ−１を加算して、その加算結果をウェイト乗算回路７３−１〜７３−Ｋに出力する。
【００６０】
アレーアンテナ復調部５８−１〜５８−Ｎのウェイト乗算回路７３−１〜７３−Ｋは、加算回路９１−１〜９１−Ｋから加算結果を受けると、その加算結果に第１ステージのウェイト演算部７２により演算されたウェイトｗ１−ｎ−１〜ｗＫ−ｎ−１を乗算する。
アレーアンテナ復調部５８−１〜５８−Ｎのビーム合成部７４は、ウェイト乗算回路７３−１〜７３−Ｋから乗算結果を受けると、その乗算結果をビーム合成する。
【００６１】
アレーアンテナ復調部５８−１〜５８−Ｎの伝送路特性推定部７５は、ビーム合成部７４から合成後のシンボルを受けると、合成後のシンボルからシンボルの伝送路特性を推定する。
そして、アレーアンテナ復調部５８−１〜５８−Ｎの乗算器７６は、伝送路特性推定部７５により推定された伝送路特性の複素共役をビーム合成部７４による合成後のシンボルに乗算して、シンボルの伝送路特性を補償する。
【００６２】
アレーアンテナ復調部５８−１〜５８−ＮのＲＡＫＥ合成部７７は、乗算器７６により伝送路特性が補償された各パスのシンボルを入力すると、各パスのシンボルをＲＡＫＥ合成して軟判定値を出力する。
アレーアンテナ復調部５８−１〜５８−Ｎの復号部９３−ｎは、ＲＡＫＥ合成部７７から軟判定値を受けると、その軟判定値を復号する。
【００６３】
以上で明らかなように、この実施の形態１によれば、第１ステージの干渉レプリカ生成部５３−１〜５３−Ｎにおけるウェイト演算部７２がウェイトｗ１−ｎ−１〜ｗＫ−ｎ−１を演算し、そのウェイトｗ１−ｎ−１〜ｗＫ−ｎ−１を第２ステージ及び最終ステージに出力するように構成したので、第２ステージ及び最終ステージにおいてはウェイト演算を実施することなく、ウェイトの乗算処理を実施することができる。その結果、所望するビームの指向性パターンを速やかに形成することができる効果を奏する。
【００６４】
なお、この実施の形態１では、第２ステージが１段構成のものについて示したが、第２ステージと同等な構成の回路が複数段直列に接続されていてもよく、この場合には、干渉除去精度を高めることができる。
【００６５】
実施の形態２．
図５はこの発明の実施の形態２による干渉キャンセラ装置の干渉レプリカ生成部５３−１〜５３−Ｎの内部を示す構成図、図６は干渉レプリカ生成部５６−１〜５６−Ｎの内部を示す構成図である。図において、図２及び図３と同一符号は同一または相当部分を示すので説明を省略する。
９４−１〜９４−Ｋは伝送路特性推定部７５により推定された伝送路特性の複素共役を加算回路９１−１〜９１−Ｋの加算結果に乗算して、シンボルの伝送路特性を補償する乗算器、９５−１〜９５−Ｋは硬判定部７８の硬判定値に伝送路特性推定部７５により推定された伝送路特性を乗算する乗算器である。
【００６６】
上記実施の形態１では、第１及び第２ステージにおいても、ウェイト乗算回路７３−１〜７３−Ｋ，８１−１〜８１−Ｋがウェイトの乗算処理を実施するものについて示したが、この実施の形態２では、例えば、最終ステージにおいてのみウェイトの乗算処理を実施する。
即ち、全ステージにおいてウェイトの乗算処理を実施する必要はなく、いずれかのステージにおいてウェイトの乗算処理を実施するようにすればよい。これにより、回路規模を削減することができる。
【００６７】
実施の形態３．
図７はこの発明の実施の形態３による干渉キャンセラ装置の干渉レプリカ生成部５３−１〜５３−Ｎの内部を示す構成図、図８は干渉レプリカ生成部５６−１〜５６−Ｎの内部を示す構成図、図９はアレーアンテナ復調部５８−１〜５８−Ｎの内部を示す構成図である。図において、図２〜図４等と同一符号は同一または相当部分を示すので説明を省略する。
９６−１〜９６−Ｋは伝送路特性推定部７５により推定された伝送路特性の複素共役を逆拡散回路７１−１〜７１−Ｋによる逆拡散後のシンボルに乗算して、各素子の伝送路特性を補償する乗算器、９７−１〜９７−Ｋは乗算器９６−１〜９６−Ｋにより伝送路特性が補償された各パスのシンボルを加算する加算回路、９８は加算回路９７−１〜９７−Ｋの加算結果と加算器７９により生成された参照信号とを入力してウェイトを演算するウェイト演算部である。
【００６８】
上記実施の形態１では、第１ステージにおいて、ウェイト演算部７２をパス毎に設けるものについて示したが、この実施の形態３では、図７に示すように、ウェイト演算部９８を１つだけ設けるようにしたものであり、上記実施の形態１と同様の効果を奏することができる。
【００６９】
実施の形態４．
上記実施の形態３では、第１及び第２ステージにおいても、ウェイト乗算回路７３−１〜７３−Ｋ，８１−１〜８１−Ｋがウェイトの乗算処理を実施するものについて示したが、この実施の形態４では、図１０及び図１１に示すように、第１及び第２ステージにおいてはウェイトの乗算処理を実施せず、最終ステージにおいてのみウェイトの乗算処理を実施するようにしたものである。
即ち、全ステージにおいてウェイトの乗算処理を実施する必要はなく、いずれかのステージにおいてウェイトの乗算処理を実施するようにすればよい。これにより、回路規模を削減することができる。
【００７０】
実施の形態５．
図１２はこの発明の実施の形態５による干渉キャンセラ装置の干渉レプリカ生成部５３−１〜５３−Ｎの内部を示す構成図であり、図において、図２と同一符号は同一または相当部分を示すので説明を省略する。
９９は再拡散回路８２−１〜８２−Ｋと同じ拡散コードを用いて、既知シンボルを拡散して参照信号を生成する拡散部、１００は加算回路８３−１〜８３−Ｋから出力された各素子のチップレプリカと伝送路特性推定部７５により推定された伝送路特性と拡散部９９により生成された参照信号とを入力してウェイトを演算するウェイト演算部である。
【００７１】
上記実施の形態１等では、ウェイト演算部７２が逆拡散回路７１−１〜７１−Ｋの逆拡散結果と伝送路特性推定部７５により推定された伝送路特性と加算器７９により生成された参照信号とを入力してウェイトを演算するものについて示したが、この実施の形態５では、ウェイト演算部１００が加算回路８３−１〜８３−Ｋから出力された各素子のチップレプリカと伝送路特性推定部７５により推定された伝送路特性と拡散部９９により生成された参照信号とを入力してウェイトを演算するようにしたものである。
このように、拡散後の信号を用いてウェイト演算を行うので、上記実施の形態１等よりもウェイトの演算時間を短縮することができる効果を奏する。
【００７２】
実施の形態６．
図１３はこの発明の実施の形態６による干渉キャンセラ装置を示す構成図であり、図において、図１と同一符号は同一または相当部分を示すので説明を省略する。
６１−１〜６１−Ｎは各ステージにおけるＳＩＲ測定値を比較する比較器、６２−１〜６２−ＮはＳＩＲ測定値が最高値のステージの軟判定値を選択して復号部９３−１〜９３−Ｎに出力するスイッチである。この比較器及びスイッチは、本発明の比較手段を構成する。
【００７３】
図１４は干渉レプリカ生成部５３−１〜５３−Ｎの内部を示す構成図、図１５は干渉レプリカ生成部５６−１〜５６−Ｎの内部を示す構成図、図１６はアレーアンテナ復調部５８−１〜５８−Ｎの内部を示す構成図である。図において、図２〜図４と同一符号は同一または相当部分を示すので説明を省略する。
１０１はビーム合成部７４による合成後のシンボルのＳＩＲ測定値を測定するＳＩＲ測定部、１０２は比較器６１−１〜６１−Ｎの比較結果が自己のステージのＳＩＲ測定値が最高値である旨を示す場合に限り、ウェイト乗算回路７３−１〜７３−Ｋにおけるウェイトの乗算処理を許可する制御信号を出力するスイッチである。なお、スイッチ１０２がウェイトの乗算処理を許可しない制御信号を出力する場合、逆拡散回路７１−１〜７１−Ｋによる逆拡散後のシンボル又は加算回路９１−１〜９１−Ｋから出力されたシンボルのうち、いずれかのシンボルが選択されてビーム合成部７４に出力される。
【００７４】
上記実施の形態１では、全ステージにおいて、ウェイト乗算回路７３−１〜７３−Ｋがウェイトの乗算処理を実施するものについて示したが、この実施の形態６では、ＳＩＲ測定値が最良のステージのウェイト乗算回路７３−１〜７３−Ｋのみがウェイトの乗算処理を実施するようにしたものである。
【００７５】
即ち、各ステージのＳＩＲ測定部１０１がビーム合成部７４による合成後のシンボルのＳＩＲ測定値を測定すると、比較器６１−１〜６１−Ｎが各ステージにおけるＳＩＲ測定部１０１のＳＩＲ測定値を比較する。
そして、各ステージのスイッチ１０２は、比較器６１−１〜６１−Ｎの比較結果が自己のステージのＳＩＲ測定値が最高値である旨を示す場合に限り、ウェイト乗算回路７３−１〜７３−Ｋにおけるウェイトの乗算処理を許可する制御信号を出力するようにする。
また、スイッチ６２−１〜６２−Ｎは、ＳＩＲ測定値が最高値のステージの軟判定値を選択して復号部９３−１〜９３−Ｎに出力する。
このように、ＳＩＲ測定値が最良のステージのおいてのみウェイト乗算が行われ、ＳＩＲ測定値が最高値のステージの軟判定値が選択されて復号されるため、受信機の安定化を図ることができる効果を奏する。
【００７６】
実施の形態７．
図１７はこの発明の実施の形態７による干渉キャンセラ装置を示す構成図であり、図において、図１と同一符号は同一または相当部分を示すので説明を省略する。
６３は第１ステージの干渉レプリカ生成部５３−１〜５３−Ｎにより演算されたウェイトを周波数補正する周波数補正部である。
【００７７】
図１８は干渉レプリカ生成部５３−１〜５３−Ｎの内部を示す構成図である。図において、図７と同一符号は同一または相当部分を示すので説明を省略する。
６４は送信データを拡散する拡散部、６５−１〜６５−Ｋは拡散部６４から出力された送信拡散信号に周波数補正後のウェイトを乗算し、その乗算結果をアンテナ素子５１−１〜５１−Ｋに出力する乗算器である。
【００７８】
上記実施の形態１〜６では、アンテナ素子５１−１〜５１−Ｋが拡散信号を受信する場合について示したが、この実施の形態７では、アンテナ素子５１−１〜５１−Ｋから拡散信号を送信する際、拡散信号の受信時において、第１ステージの干渉レプリカ生成部５３−１〜５３−Ｎにより演算されたウェイトを使用するようにしたものである。
【００７９】
即ち、アンテナ素子５１−１〜５１−Ｋから拡散信号を送信する際、ウェイトの演算処理を省くため、周波数補正部６３が第１ステージの干渉レプリカ生成部５３−１〜５３−Ｎにより演算されたウェイトを周波数補正する。
ここで、周波数補正部６３は、Ｗ−ＣＤＭＡ方式がＦＤＤモードの場合、送受信の周波数が異なることから設けられた機能であり、周波数の相違に伴うビームの指向性パターンの相違を補正するものである。
補正の具体的な方法は、「ＣＤＭＡ無線伝送装置及びＣＤＭＡ無線伝送システム」（特開平８−２７４６８７号公報）や、「セルラ基地局のアンテナ指向性制御による周波数利用率の改善」（信学技報ＲＣＳ９３−８）に示されている通り、送受信ビームの指向性パターン間の平均二乗誤差を最小にするなどによって補正を行う。
【００８０】
乗算器６５−１〜６５−Ｎは、周波数補正部６３がウェイトの周波数補正を行うと、拡散部６４から出力された送信拡散信号に周波数補正後のウェイトを乗算し、その乗算結果をアンテナ素子５１−１〜５１−Ｋに出力する。
これにより、送信ビームの指向性パターンが速やかに形成されるとともに、回路規模が削減される効果を奏する。
【００８１】
なお、この実施の形態７では、拡散部６４による拡散後の送信信号に周波数補正後のウェイトを乗算するものについて示したが、拡散前の送信信号に周波数補正後のウェイトを乗算し、その乗算結果を拡散するようにしてもよい。
【００８２】
【発明の効果】
以上のように、この発明によれば、干渉除去手段が干渉レプリカを生成する際、アレーアンテナにより受信された各拡散信号に係る重み付け値を演算して復調手段に出力するように構成したので、所望するビームの指向性パターンを速やかに形成することができる効果がある。
【００８３】
この発明によれば、干渉除去手段がアレーアンテナにより受信された各拡散信号に係る重み付け値を演算する際、既知シンボルの拡散結果と干渉レプリカを除去した各拡散信号とを入力するように構成したので、所望するビームの指向性パターンを速やかに形成することができる効果がある。
【００８４】
この発明によれば、干渉除去手段により演算された各拡散信号に係る重み付け値を周波数補正して送信拡散信号に乗算するように構成したので、送信ビームの指向性パターンを速やかに形成することができるとともに、回路規模を削減することができる効果がある。
【００８５】
この発明によれば、第１の干渉除去手段が干渉レプリカを生成する際、アレーアンテナにより受信された各拡散信号に係る重み付け値を演算して復調手段に出力するように構成したので、所望するビームの指向性パターンを速やかに形成することができる効果がある。
【００８６】
この発明によれば、第１の干渉除去手段が干渉レプリカを生成する際、アレーアンテナにより受信された各拡散信号に係る重み付け値を演算して第２の干渉除去手段に出力するように構成したので、所望するビームの指向性パターンを速やかに形成することができる効果がある。
【００８７】
この発明によれば、第１の干渉除去手段が各拡散信号に係る重み付け値を第２の干渉除去手段及び復調手段に出力するように構成したので、所望するビームの指向性パターンを速やかに形成することができる効果がある。
【００８８】
この発明によれば、第１の干渉除去手段がアレーアンテナにより受信された各拡散信号に係る重み付け値を演算する際、既知シンボルの拡散結果と干渉レプリカを除去した各拡散信号とを入力するように構成したので、ウェイトの演算時間を短縮することができる効果がある。
【００８９】
この発明によれば、比較手段の比較結果が自己のＳＩＲ測定値が最高値である旨を示す場合に限り、その比較手段が出力する軟判定値を選択して復号するように構成したので、受信機の安定化を図ることができる効果がある。
【００９０】
この発明によれば、復調手段が、第１の干渉除去手段、第２の干渉除去手段及び復調手段のうち、軟判定値が選択された手段においてのみ、重み付け値の乗算処理を実施するように構成したので、受信機の安定化を図ることができる効果がある。
【００９１】
この発明によれば、第１の干渉除去手段により演算された各拡散信号に係る重み付け値を周波数補正して送信拡散信号に乗算するように構成したので、送信ビームの指向性パターンを速やかに形成することができるとともに、回路規模を削減することができる効果がある。
【００９２】
この発明によれば、第２の干渉除去手段を複数段直列に接続するように構成したので、干渉除去精度を高めることができる効果がある。
【図面の簡単な説明】
【図１】  この発明の実施の形態１〜５による干渉キャンセラ装置を示す構成図である。
【図２】  この発明の実施の形態１による干渉キャンセラ装置の干渉レプリカ生成部の内部を示す構成図である。
【図３】  この発明の実施の形態１による干渉キャンセラ装置の干渉レプリカ生成部の内部を示す構成図である。
【図４】  この発明の実施の形態１による干渉キャンセラ装置のアレーアンテナ復調部の内部を示す構成図である。
【図５】  この発明の実施の形態２による干渉キャンセラ装置の干渉レプリカ生成部の内部を示す構成図である。
【図６】  この発明の実施の形態２による干渉キャンセラ装置の干渉レプリカ生成部の内部を示す構成図である。
【図７】  この発明の実施の形態３による干渉キャンセラ装置の干渉レプリカ生成部の内部を示す構成図である。
【図８】  この発明の実施の形態３による干渉キャンセラ装置の干渉レプリカ生成部の内部を示す構成図である。
【図９】  この発明の実施の形態３による干渉キャンセラ装置のアレーアンテナ復調部の内部を示す構成図である。
【図１０】  この発明の実施の形態４による干渉キャンセラ装置の干渉レプリカ生成部の内部を示す構成図である。
【図１１】  この発明の実施の形態４による干渉キャンセラ装置の干渉レプリカ生成部の内部を示す構成図である。
【図１２】  この発明の実施の形態５による干渉キャンセラ装置の干渉レプリカ生成部の内部を示す構成図である。
【図１３】  この発明の実施の形態６による干渉キャンセラ装置を示す構成図である。
【図１４】  この発明の実施の形態６による干渉キャンセラ装置の干渉レプリカ生成部の内部を示す構成図である。
【図１５】  この発明の実施の形態６による干渉キャンセラ装置の干渉レプリカ生成部の内部を示す構成図である。
【図１６】  この発明の実施の形態６による干渉キャンセラ装置のアレーアンテナ復調部の内部を示す構成図である。
【図１７】  この発明の実施の形態７による干渉キャンセラ装置を示す構成図である。
【図１８】  この発明の実施の形態７による干渉キャンセラ装置の干渉レプリカ生成部の内部を示す構成図である。
【図１９】  従来の干渉キャンセラ装置を示す構成図である。
【図２０】  従来の干渉キャンセラ装置の干渉レプリカ生成部の内部を示す構成図である。
【符号の説明】
５１−１〜５１−Ｋ  アンテナ素子（アレーアンテナ）、５２−１〜５２−Ｋ遅延器（第１の干渉除去手段）、５３−１〜５３−Ｎ  干渉レプリカ生成部（第１の干渉除去手段）、５４−１〜５４−Ｋ  減算回路（第１の干渉除去手段）、５５−１〜５５−Ｋ  遅延器（第２の干渉除去手段）、５６−１〜５６−Ｎ  干渉レプリカ生成部（第２の干渉除去手段）、５７−１〜５７−Ｋ  減算回路（第２の干渉除去手段）、５８−１〜５８−Ｎ  アレーアンテナ復調部（復調手段）、６１−１〜６１−Ｎ  比較器（比較手段）、６２−１〜６２−Ｎ  スイッチ、６３  周波数補正部、６４  拡散部、６５−１〜６５−Ｋ  乗算器、７１−１〜７１−Ｋ  逆拡散回路、７２  ウェイト演算部、７３−１〜７３−Ｋ  ウェイト乗算回路、７４  ビーム合成部、７５  伝送路特性推定部、７６  乗算器、７７  ＲＡＫＥ合成部、７８  硬判定部、７９  加算器、８０  乗算器、８１−１〜８１−Ｋ  ウェイト乗算回路、８２−１〜８２−Ｋ  再拡散回路、８３−１〜８３−Ｋ  加算回路、９１−１〜９１−Ｋ  加算回路、９２−１〜９２−Ｋ  減算回路、９３−１〜９３−Ｎ  復号部、９４−１〜９４−Ｋ  乗算器、９５−１〜９５−Ｋ  乗算器、９６−１〜９６−Ｋ  乗算器、９７−１〜９７−Ｋ  加算回路、９８  ウェイト演算部、９９  拡散部、１００  ウェイト演算部、１０１ＳＩＲ測定部、１０２  スイッチ。
【図１】
0003898061.tif 000002
【図２】
0003898061.tif 000003
【図３】
0003898061.tif 000004
【図４】
0003898061.tif 000005
【図５】
0003898061.tif 000006
【図６】
0003898061.tif 000007
【図７】
0003898061.tif 000008
【図８】
0003898061.tif 000009
【図９】
0003898061.tif 000010
【図１０】
0003898061.tif 000011
【図１１】
0003898061.tif 000012
【図１２】
0003898061.tif 000013
【図１３】
0003898061.tif 000014
【図１４】
0003898061.tif 000015
【図１５】
0003898061.tif 000016
【図１６】
0003898061.tif 000017
【図１７】
0003898061.tif 000018
【図１８】
0003898061.tif 000019
【図１９】
0003898061.tif 000020
【図２０】
0003898061.tif 000021